(57)【要約】【課題】豆電球等の光源の数が多くなる分、コストも高くなってしまうと共に、豆電球やＬＥＤのガラス球の破損、防水構造が不十分な場合の漏電等が危惧されている。【解決手段】豆電球、ＬＥＤ等からなる光源１と、該光源１に着脱自在に取り付けされるカバー本体２と、該カバー本体２に設けられた拡散レンズ３とを備えている。光源１は、主としてＬＥＤを使用するものであり、用途に応じて高輝度ＬＥＤや豆電球を使用しても良い。カバー本体２は、光源１との所定間隔を保つべく拡散レンズ３を保持するものであり、透明若しくは半透明のガラス、合成樹脂材から成形せしめる。拡散レンズ３は、主としてフレネルレンズが挙げられるが、キュービックレンズ、パラボリックレンズ、プリズムレンズ、表面形状がテトラ若しくはプリズム状に突出したマイクロプリズムレンズを使用しても良い。【選択図】図２
0003132453.tif 000002
【実用新案登録請求の範囲】
【請求項１】
豆電球、ＬＥＤ等の光源に着脱自在に取り付けされるカバー本体と、該カバー本体に設けられた拡散レンズとを備えてなることを特徴とするイルミネーションレンズ。
【請求項２】
前記カバー本体は、豆電球、ＬＥＤ等の光源に外装されるブッシュと、該ブッシュに連結されて拡散レンズ及び／又は同カバー本体を保持するためのカバー受けとを備えてなることを特徴とする請求項１に記載のイルミネーションレンズ。
【請求項３】
前記拡散レンズは、フレネルレンズ、キュービックレンズ、パラボリックレンズ又は表面形状がテトラ若しくはプリズム状に突出したマイクロプリズムレンズであることを特徴とする請求項１又は２に記載のイルミネーションレンズ。
【考案の詳細な説明】
【技術分野】
【０００１】
本考案は、発光ダイオード(以下、単にＬＥＤという)等の光源を数倍にも拡散させることができるイルミネーションレンズに関し、更に詳しくは、少数の光源でもより華麗なイルミネーション効果を上げることができると共に、コストを大幅に低減することができる他、輝度むら、光源の破損や漏電等の危惧をも一掃させた有用なイルミネーションレンズに関する。
【背景技術】
【０００２】
クリスマスツリー用等の樹木や家屋の壁面等の被照明体の照明に使用されるイルミネーション(電飾)であって、支持線を所定の幅を有する１枚の絶縁フィルムで対称的に重なり合うように包み、重なり合った絶縁フィルムの内側部分は接着され、一方重なり合った絶縁フィルムの外側部分には２枚の導体が長さ方向に平行に接着されており、複数個からなるＬＥＤの発光部を支持線上に所定の間隔で配置し、ＬＥＤの足であるアノードとカソードで支持線付き絶縁フィルムを挟み込んで２枚の導体に接続させ、ＬＥＤの発光部以外を絶縁性樹脂で被覆している(特許文献１参照)。
【特許文献１】特開平８−１６０８９５号公報
【考案の開示】
【考案が解決しようとする課題】
【０００３】
しかしながら、上述した特開平８−１６０８９５号公報に開示されているイルミネーションにあっては、ＬＥＤを光源として用いているため、暗闇ではある程度の装飾効果は得られるものの、多数のＬＥＤを単に連続的に点灯させたり或いは点滅させるだけであるため、変化が少なく趣向性に欠けると共に、斬新なイルミネーション効果を得ることができないといった問題がある。
【０００４】
特に、複数のＬＥＤを同一面或いは平行面に実装して構成したイルミネーションは、通電によりエレメントが発光する電球などにより構成した装飾用ランプと比べて指向性が狭いため、輝度むらがあるように感じられるといった欠点がある。
【０００５】
更に、これらのイルミネーションにあっては、何百、何千、何万という豆電球やＬＥＤを使って、優美なデザインや模様の眩いばかりの光のトンネルや、優美な曲線の光の木々、高く聳える光の構造物等を作り上げ、見る者をして夢の世界、幻想の世界へと誘うものの、豆電球等の光源の数が多くなる分、コストも高くなってしまうと共に、豆電球やＬＥＤのガラス球の破損、防水構造が不十分な場合の漏電等が危惧されている。
【０００６】
本考案はこのような従来の問題点に鑑みてなされたもので、一個の光源を数倍に拡散させることにより、少数の光源でもより華麗なイルミネーション効果を得ることができると共に、コストを大幅に低減することができる他、輝度むら、光源の破損や漏電等の危惧をも一掃させたイルミネーションレンズを提供することを目的としたものである。
【課題を解決するための手段】
【０００７】
上述の如き従来の問題点を解決し、所期の目的を達成するため本考案の要旨とする構成は、豆電球、ＬＥＤ等の光源に着脱自在に取り付けされるカバー本体と、該カバー本体に設けられた拡散レンズとを備えてなるイルミネーションレンズに存する。
【０００８】
また、前記カバー本体は、豆電球、ＬＥＤ等の光源に外装されるブッシュと、該ブッシュに連結されて拡散レンズ及び／又は同カバー本体を保持するためのカバー受けとを備えるのが良い。
【０００９】
前記拡散レンズは、フレネルレンズ、キュービックレンズ、パラボリックレンズ又は表面形状がテトラ若しくはプリズム状に突出したマイクロプリズムレンズであるのが良い。
【考案の効果】
【００１０】
本考案は上述のように構成され、豆電球、ＬＥＤ等の光源に着脱自在に取り付けされるカバー本体と、該カバー本体に設けられた拡散レンズとを備えることによって、光源から放たれる光が拡散レンズを透過することで、同レンズ面に複数の光源を映し出すため、少ない光源でもより華麗に輝くことができるといった効果を奏する。
【００１１】
また、前記カバー本体は、豆電球、ＬＥＤ等の光源に外装されるブッシュと、該ブッシュに連結されて拡散レンズ及び／又は同カバー本体を保持するためのカバー受けとを備えることによって、光源の破損や漏電等の危惧をも一掃することができる有用なイルミネーションレンズを提供できるといった効果を奏する。
【００１２】
前記拡散レンズは、フレネルレンズ、キュービックレンズ、パラボリックレンズ又は表面形状がテトラ若しくはプリズム状に突出したマイクロプリズムレンズであることによって、光源を拡散させることができるため、輝度むらがなく見る人に新たな興趣を添えることができるといった効果を奏する。
【００１３】
このように本考案のイルミネーションレンズは、構成が単純であるため大量生産に適し、価格も低廉なものとして需要者に供給できる等、本考案を実施することはその実益的価値が甚だ大なるものがある。
【考案を実施するための最良の形態】
【００１４】
豆電球、ＬＥＤ等の光源と、該光源に着脱自在に被装されるカバー本体と、該カバー本体に設けられた拡散レンズとを備え、延いては、前記カバー本体が、豆電球、ＬＥＤ等の光源に外装されるブッシュと、該ブッシュに連結されて拡散レンズ若しくはカバー本体を保持するためのカバー受けとを備えるのが良い。
【実施例】
【００１５】
次に、本考案の第１実施例を図１を参照しながら説明する。図中Ａは、本考案に係るイルミネーションレンズであり、このイルミネーションレンズＡは、図１に示すように、豆電球、ＬＥＤ等からなる光源１と、該光源１に着脱自在に取り付けされるカバー本体２と、該カバー本体２に設けられた拡散レンズ３とを備えている。
【００１６】
光源１は、主としてＬＥＤを使用するものであり、用途に応じて高輝度ＬＥＤや豆電球を使用しても良い。
【００１７】
カバー本体２は、前記光源１との所定間隔を保つべく拡散レンズ３を保持するものであり、例えば、透明若しくは半透明のガラス、合成樹脂材から成形されている。
【００１８】
また、このカバー本体２は、光源１に外装されるブッシュ２ａと、該ブッシュ２ａに連結されて同カバー本体２を保持するためのカバー受け２ｂとを備えている。
【００１９】
拡散レンズ３は、透明若しくは半透明のシート材に同心状のレンズ溝を刻設してなるものである。因に、この拡散レンズ３としては、主としてフレネルレンズが挙げられるが、その他、キュービックレンズ、パラボリックレンズ、プリズムレンズ、表面形状がテトラ若しくはプリズム状に突出したマイクロプリズムレンズを使用しても良い。
【００２０】
次に、本考案の第２実施例を図３乃至図４を参照しながら説明する。尚、理解を容易にするため、前述した第１実施例と同一部分は同一符号で示し、構成の異なる処のみを新たな番号を付して以下に説明する。
【００２１】
図中２は、第１実施例で示したカバー受け２ｂを一体的に成形してなるカバー本体であり、上位にいくに従って次第に拡径すべくテーパー状に形成されている。
【００２２】
次に、本考案の第３実施例を図５乃至図６を参照しながら説明する。尚、理解を容易にするため、前述した第１実施例と同一部分は同一符号で示し、構成の異なる処のみを新たな番号を付して以下に説明する。
【００２３】
図中２は、透明若しくは半透明の合成樹脂材から円筒状に形成されたカバー本体であり、カバー受け２ｂには、同カバー本体１が嵌合できるように環状突起２ｂ１  が形成されている。
【００２４】
次に、本考案の第４実施例を図７乃至図８を参照しながら説明する。尚、理解を容易にするため、前述した第１実施例と同一部分は同一符号で示し、構成の異なる処のみを新たな番号を付して以下に説明する。
【００２５】
図中２は、拡散レンズ３を保持するためのカバー本体で、表面に細い縦溝が刻設されており（以下、ローレットタイプという）、カバー受け２ｂ内に圧着状態で嵌入できるように形成されている。
【００２６】
次に、本考案の第５実施例を図９を参照しながら説明する。尚、理解を容易にするため、前述した第１実施例と同一部分は同一符号で示し、構成の異なる処のみを新たな番号を付して以下に説明する。
【００２７】
図中２は、円筒状に形成されたローレットタイプのカバー本体であり、カバー受け２ｂに整合すべく接着されている。
【００２８】
このように構成される本実施例のイルミネーションレンズは、１個の光源１から放たれる光が拡散レンズ３を透過することで、図１０に示すように、同拡散レンズ３の表面に６個の光源１ａ，１ａ…を映し出すため、少ない光源１でも華麗に輝くことができ、換言すれば、１個の光源１を６倍に拡散させることにより、より華麗なイルミネーション効果を高めることができるため、コストを大幅に低減することができる。
【００２９】
また、光源１の外周には、ブッシュ２ａ、カバー受け２ｂ、拡散レンズ３が被装されるため、光源１の破損及び漏電等の危惧をも一掃することができるのである。
【００３０】
尚、本考案のイルミネーションレンズは、本実施例に限定されることなく、本考案の目的の範囲内で自由に設計変更し得るものであり、本考案はそれらの全てを包摂するものである。
【００３１】
例えば、本実施例では、光源１の個々にイルミネーションレンズＡを取り付けているが、これに限定されることなく、複数のＬＥＤ等の光源１を纏めて被装できるように取り付けても良く、更には、ブッシュ２ａ、カバー受け２ｂ及びカバー本体２の形状を、花びら、草花、ハート、星、星座、人形、キャラクター人形等の象形に模しても良く、また、それをコードに吊り下げる形式にしても良い。
【００３２】
また、拡散レンズ３の視認性を向上させるために、例えば、本実施例で使用しているフレネルレンズに代えて、マイクロプリズムレンズやプリズム型超高輝度反射シートを使用しても良い。
【００３３】
例えば、マイクロプリズムレンズは、超精密（１ｃｍ２  当たり７４００個配列）のキューブコーナープリズム（単層構造）からなるもので、擦れ、キズ、衝撃に強いなど、優れた耐久性を有している。
【００３４】
しかも、マイクロプリズムレンズを構成するキューブコーナープリズムは、光源から入射した光が、プリズムの三表面を反射するため、従来のガラスビーズ（再帰反射有効率１／３［３３％］）に比して有効的に光源に帰るため（再帰反射有効率３／４［７５％］）、僅かな光でも視認性が良好であり、しかも、乱反射が無いので近距離での幻惑（グレア）を防止でき、遠近感も視認できるため、複数のＬＥＤを用いた場合の指向性を広めると共に、見る角度により発光色の輝度を異ならせることができるため、イルミネーション効果をより一段と向上させることができる。  
【図面の簡単な説明】
【００３５】
【図１】本考案に係るイルミネーションレンズの第１実施例を示す正面図である。
【図２】同イルミネーションレンズの第１実施例を示す縦断面図である。
【図３】同イルミネーションレンズの第２実施例を示す組立分解斜視図である。
【図４】同イルミネーションレンズの第２実施例を示す組立分解正面図である。
【図５】同イルミネーションレンズの第３実施例を示す組立分解斜視図である。
【図６】同イルミネーションレンズの第３実施例を示す組立分解正面図である。
【図７】同イルミネーションレンズの第４実施例を示す組立分解斜視図である。
【図８】同イルミネーションレンズの第４実施例を示す組立分解正面図である。
【図９】同イルミネーションレンズの第５実施例を示す組立分解斜視図である。
【図１０】同イルミネーションレンズの拡散状態を示す説明図である。
【符号の説明】
【００３６】
１  光源
２  カバー本体
２ａ  ブッシュ
２ｂ  カバー受け
２ｂ１  環状突起
３  拡散レンズ
【図１】
0003132453.tif 000003
【図２】
0003132453.tif 000004
【図３】
0003132453.tif 000005
【図４】
0003132453.tif 000006
【図５】
0003132453.tif 000007
【図６】
0003132453.tif 000008
【図７】
0003132453.tif 000009
【図８】
0003132453.tif 000010
【図９】
0003132453.tif 000011
【図１０】
0003132453.tif 000012